Podtech/llm-jp-corpus-v4-ja_patent huggingface dataset:
(57)【要約】      （修正有）【課題】足腰の負担を軽減することができ、不安定な姿勢から後方へ転倒する危険性から解放することができる和式トイレ用補助取手を提供する。【解決手段】和式トイレ用補助取手７は逆Ｕ字型で２ケ所の鉛直方向に延びる固定部１により水平方向に延びる握り部２を支え、握り部２は低温対策として木製やプラシチックなどの材質を使用している。また取り付け位置は和式便器の前方付近の床面に和式トイレ用補助取手７取り付部３をネジで固定し常備設置用として使用する。使用の際は使用者がしゃがみ位置５に立って握り部２を握りながら腰を落とし、しゃがみ姿勢での安定を図る。【選択図】図１
0003219190.tif 000002
【実用新案登録請求の範囲】
【請求項１】
床面に逆Ｕ字型に固定される和式トイレ用補助取手であって、２ケ所の鉛直方向に延びる固定部と水平方向に延びる握り部とを備えることを特徴とする和式トイレ用補助取手。
【請求項２】
請求項１に記載された和式トイレ用補助取手において、握り部は木製、プラスチック製またはゴム製の材質で作られることを特徴とする和式トイレ用補助取手。
【考案の詳細な説明】
【技術分野】
【０００１】
本考案は和式トイレを使用する際、使用者はしゃがむ姿勢で用を足すが、時間が長くなれば姿勢が不安定になり後方に転倒する危険性が増す。その転倒を防止することを目的とした和式トイレ用補助取手に関するものである。
【背景技術】
【０００２】
従来、トイレ使用者の起立動作及び着座動作を補助する和式トイレ用手摺りが考案され、トイレ使用者がトイレ使用時に無理な力を必要としたり、体のバランスを崩したりすることを防止する手段として、便器に対して使用者の起立動作から着座動作を補助する和式トイレ用手摺りが考案された。
【先行技術文献】
【特許文献】
【０００３】
【特許文献１】特開平１１−１９２１８９
【考案の概要】
【考案が解決しようとする課題】
【０００４】
しかし、上述した特許文献のトイレ用手摺りは、トイレ使用者の起立動作及び着座動作を補助する事を目的としているが、使用者が用を足す際にしゃがむ姿勢から体のバランスを崩した場合、トイレ用手摺りを握っていても置き型のため後方へ引きずってしまい転倒する危険性がある。
【０００５】
さらにトイレ用手摺りは構造的に複雑でサイズが大きく置き型で、公衆便所などの和式トイレに常備設置用として設置するのは不向きである。
【０００６】
本考案は上述した、トイレ用手摺りにおける問題点に対して、解決することができる、和式トイレ用補助取手を提供することである。
【課題を解決するための手段】
【０００７】
上述の目的を達成する本考案の和式トイレ用補助取手は逆Ｕ字型で、持ち手の部分は温もりのある木製やプラシチックなどの材料を使いコンパクトに作られ、和式トイレの前方に固定常備設置用として取り付けることを目的とし、また使用者が用を足す場合などしゃがみ腰で不安定な姿勢となり体のバランスを崩し転倒する危険があるが、和式トイレ用補助取手を握ることで体の安定を保つことができる。
現在、日本において洋式トイレは和式トイレに対して取って代ろうとしている。しかし洋式トイレは医学的な観点から「弁排出困難型」の人が排便するときに筋肉がうまく使えず、さらには腸の角度問題により排便が難しく近年日本人にも便秘が増えているのが現状である。それに対し和式トイレは排便時の姿勢が筋肉や腸の角度を適度に良くし、便秘が解消されるという大きな利点があり、世界でも和式トイレは近年見直されてきている。しかし和式トイレはしゃがむ姿勢が使用者の足腰に負担となり、さらには不安定で後方に転倒する危険性があるため家庭での和式トイレはほとんどが洋式トイレに取って変わられ消滅状態にあり、さらには外国からの旅行者が近年増え続け公衆トイレの場合に於いても和式便器が使いづらいとの理由から洋式便座に改修が求められている。しかし公衆トイレに於ける洋式トイレの場合、他人とのおしりの間接的な接触があり不衛生的だと嫌がる人も多く、また感染症が流行った時などその対策が取りにくいという欠点がある。そのようなことを考えると公衆トイレにおける和式トイレの存在は大事であり、そこで和式トイレの欠点を補う方法として和式トイレ用補助取手を和式便器前方に取り付け、安定した排便姿勢を確保することで使いやすく安全なものとすることで、排便の利にかなった日本伝統的な和式トイレをもう一度、見直す切掛けを作ることができる。
【考案の効果】
【０００８】
本考案は、和式トイレで人が用をたす場合、中腰でしゃがむ姿勢を保たなくてはならず体が不安定になり、とくに足腰の悪い年よりにとっては自分の体を支えることができず後方へ倒れる危険性が大いにあったが、それに対し和式トイレ用補助取手を和式トイレ便座前方に取付けることで、使用者が握り部を手で握り体を支えて楽な姿勢を保つことで、足腰の負担を軽減することができ、さらには不安定な姿勢から後方へ転倒する危険性から解放することができる。
【図面の簡単な説明】
【０００９】
【図１】本考案の実施形態に従った、和式トイレ用補助取手７を示す外観斜視図である。
【図２】本考案の実施形態に従った、和式トイレ用補助取手７を使用者６が握った状態を示す図である。
【考案を実施するための形態】
【００１０】
その構造は、握り部が付いた逆Ｕ型の簡単な構造の和式トイレ用補助取手で和式トイレ便座の前方に設置するものである。
【実施例】
【００１１】
以下、本考案の実施形態を図に基づいて説明する。
【００１２】
図１は、この考案の実施形態に従った和式トイレ用補助取手７を示す斜視図である。その構造は逆Ｕ字型で２ケ所の鉛直方向に延びる固定部１により水平方向に延びる握り部２を支え、握り部２は低温対策として木製やプラシチックなどの材質を使用している。また取り付け位置は和式便器の前方（約３０ｃｍ前後）付近の床面に和式トイレ用補助取手７取り付部３をネジで固定し常備設置用として使用する。使用の際は使用者６がしゃがみ位置５に立って握り部２を握りながら腰を落とし、しゃがみ姿勢での安定を図ることを目的とする和式トイレ用補助取手７である。
【００１３】
図２は、この考案の実施形態に従い使用者６が和式便器４で用をたす際に、和式トイレ用補助取手７の握り部２を握ることで、体を支え楽な姿勢を保っている状態を示す図である。
【符号の説明】
【００１４】
１  固定部                
２  握り部
３  取り付部      
４  和式便器            
５  しゃがみ位置        
６  使用者
７  和式トイレ用補助取手
【図１】
0003219190.tif 000003
【図２】
0003219190.tif 000004
(57)【要約】      （修正有）【課題】この考案の課題は、年配者、子供、スポーツマン、運動障害を抱える人々や、腰痛に悩む抱える妊婦のような人々をサポートし、そして彼ら／彼女らの時間を節約する靴ひもを提供する。【解決手段】靴ひもであって、靴ひもとして以下の４つの長さ／サイズを有し、Ｓサイズ：かかりを含めて３５ｃｍの長さ、Ｍサイズ：かかりを含めて４０ｃｍの長さ、Ｌサイズ：かかりを含めて４５ｃｍの長さ、ＸＬサイズ：かかりを含めて５０ｃｍの長さ、靴ひもの材料がラテックス、及びポリエステルであり、最後のシューホールにしっかりと引っかかる結果、靴ひもを結ぶこと、および結び目を形成することを省略するかかりが、ｌｅａｚｙのレタリングを有するプラスチックから成る。【選択図】図１
0003219159.tif 000002
【実用新案登録請求の範囲】
【請求項１】
靴ひもであって、靴ひもとして以下の４つの長さ／サイズを有し、
Ｓサイズ：かかりを含めて３５ｃｍの長さ、
Ｍサイズ：かかりを含めて４０ｃｍの長さ、
Ｌサイズ：かかりを含めて４５ｃｍの長さ、
ＸＬサイズ：かかりを含めて５０ｃｍの長さ、
靴ひもの材料がラテックス、ポリエステルであり、
かかりが、ｌｅａｚｙのレタリングを有するプラスチックから成ることを特徴とする靴ひも。
【考案の詳細な説明】
【技術分野】
【０００１】
本考案は、かかり留めための弾性的な靴ひもに関する。
【背景技術】
【０００２】
ｌｅａｚｙの靴ひもは、靴の紐を結ぶ際の面倒な身をかがめる動作と背中を痛めるかがみ込みを回避するよう構成され、かつ特別に草案された。
【考案の概要】
【考案が解決しようとする課題】
【０００３】
年配者、子供、スポーツマン、運動障害を抱える人々や、腰痛に悩む抱える妊婦のような人々をサポートし、そして彼ら／彼女らの時間を節約する為である。
【課題を解決するための手段】
【０００４】
ｌｅａｚｙの多機能靴ひもは更に、ありふれた靴ひもの機能的な代替物である。ひもを結び、結び目を作り、または結び目をほどくことは、ｌｅａｚｙの靴ひもによりもはや必要でない。
【図面の簡単な説明】
【０００５】
【図１】ポリエステル及びラテックスからなる弾性的なかかり留め靴ひもの図。
【図２】異なるサイズの靴ひもの図。
【考案を実施するための形態】
【０００６】
この靴ひもは、ポリエステル及びラテックスから製造されている。現在、１３色のカラー及び靴側ごとに４から８のループ（ひも穴）対応の４つのサイズ（Ｓ／Ｍ／Ｌ及びＸＬ）がある。
【０００７】
これらはクラシックな紐靴や、スポーツシューズに適している。
【０００８】
ｌｅａｚｙ・フラットレースは、従来の靴ひものようにひも穴に通される。ポリエステル及びラテックスから成る弾性的な靴ひもの特徴は、プラスチックのかかり（独語：Ｗｉｄｅｒｈａｋｅｎ［かかり］）である。これは、最後のシューホールにしっかりと引っかかるので、靴ひもを結ぶこと、および結び目を形成することが省略される。
【０００９】
図１はポリエステル及びラテックスからなる弾性的な靴ひもの図を示す。この靴ひもは、ｌｅａｚｙとのレタリングを有するプラスチックからなるかかりを含むものである。
【００１０】
図２は、異なるサイズの靴ひもを示す。サイズは、Ｓ（側毎に４−５ループ）、Ｍ（側毎に５−６ループ）、Ｌ（側毎に６−７ループ）、ＸＬ（側毎に７−８ループ）であり、直径は６ｍｍであり、材料はポリエステル及びラテックスである。
【図１】
0003219159.tif 000003
【図２】
0003219159.tif 000004
【手続補正書】
【提出日】平成30年10月9日(2018.10.9)
【手続補正１】
【補正対象書類名】実用新案登録請求の範囲
【補正対象項目名】全文
【補正方法】変更
【補正の内容】
【実用新案登録請求の範囲】
【請求項１】
靴ひもであって、靴ひもとして以下の４つの長さ／サイズを有し、
Ｓサイズ：かかりを含めて３５ｃｍの長さ、
Ｍサイズ：かかりを含めて４０ｃｍの長さ、
Ｌサイズ：かかりを含めて４５ｃｍの長さ、
ＸＬサイズ：かかりを含めて５０ｃｍの長さ、
靴ひもの材料がラテックス、及びポリエステルであり、
最後のシューホールにしっかりと引っかかる結果、靴ひもを結ぶこと、および結び目を形成することを省略するかかりが、ｌｅａｚｙのレタリングを有するプラスチックから成ることを特徴とする靴ひも。
(57)【要約】      （修正有）【課題】ブロック玩具の組み立てを容易にするために用いる、接着仮固定台紙を備えるブロック玩具組み立てガイドシートを提供する。【解決手段】ブロック玩具キット商品を組み立て指示書等に従って組み立てる際、予め、ブロック玩具と同サイズで図面を印刷した台紙３に、図面の可視が可能な透明な弱粘着性の基剤２ａを有する両面テープ２を載置する。図面に従ってブロックパーツ４を正確に、配置でき、仮固定が可能になる。【選択図】図１
0003219154.tif 000002
【実用新案登録請求の範囲】
【請求項１】
透明な弱粘着性の基材（図１（２ａ））と、剥離紙（図１（２ｂ））からなる両面テープ（図１（２））を、ブロック玩具と同サイズで、組み立て指示の図面が施された台紙（図１（３））上に貼設した状態（図１〔ｂ〕）の「ブロック玩具の組み立てガイドシート」
【考案の詳細な説明】
【技術分野】
【０００１】本考案は、ブロック玩具組み立てに使用して好適な、ブロック玩具を仮固定する接着式台紙に関するものである。
【背景技術】
【０００２】従来、４つの側面（４ａ）と接続のための突起（４ｂ）を有する天井面（４ｃ）と、突起を保持するための溝部（５ｂ）がある底面（５ａ）を有するブロック玩具が広く知られている。
このブロック玩具では、突起の数が様々なブロック玩具を適宜組み合わせ、組み上げていくことにより、種々の形象を作ることが可能となっている。（非特許文献１）【０００３】このような、ブロック玩具を組み立てる場合、最初の１段目にあたるブロック玩具を、テーブル等の平坦な場所に適宜、並べて位置を決め、２段目以降のブロック玩具を組み上げていき、様々な形象を作れることが知られている。【０００４】ブロック玩具には、ユーザーが任意のブロック玩具を用いて、自由な形象を創作する場合と、製造元が予め動物や乗り物など、特定の形象をユーザーに作成させるために、必要なブロック玩具や組み立て指示書等を、パッケージした商品（以下、（ブロック玩具キット商品）と呼ぶ。）が広く知られている。（非特許文献１）
【先行技術文献】
【０００５】
【非特許文献１】「プラモブロックｗｅｂサイト「Ｋｉｔ  Ｂｏｘ」ＵＲＬ  ｈｔｔｐ：／／ｋｉｔｂｏｘ．ｗｅｂ．ｆｃ２．ｃｏｍ
【考案の概要】
【考案が解決しようとする課題】
【０００６】（ブロック玩具キット商品）の場合、側面に接続する構造を持たないブロック玩具（非特許文献１）を組み立て指示書に従って組み立てる際、従来の組み立て方法では、最初の１段目のブロック玩具の位置をしっかり固定することができず、組み立て中、バラバラに動いてしまい、組み立てを行うことが容易ではなかった。
本考案は前述の欠点を解決しようとするものである。
【課題を解決するための手段】
【０００７】（ブロック玩具キット商品）を組み立て指示書等に従って組み立てる際、予め、１段目の組み立て図面を、ブロック玩具と同サイズで印刷した台紙（３）に、図面が透けて見える弱粘着性の基剤（２ａ）を載置することにより、台紙（３）の図面に従ってブロック玩具の底面（５ａ）を接着、仮固定することで、問題点を解決している。
【考案の効果】
【０００８】上述のように、本考案の「ブロック玩具の組み立てガイドシート」は、（ブロック玩具キット商品）に付属することにより、購入するユーザーの利便性が向上すると期待できる。
【産業上の利用可能性】
【０００９】本考案は、（ブロック玩具キット商品）に付属することにより、ユーザーの使い勝手を向上する、ブロック玩具用の組み立て補助のための台紙である。
【考案を実施するための形態】
【００１０】「ブロック玩具組み立てガイドシート」の両面テープ（２）は台紙（３）に施された図面が容易に可視可能できる透明度があるもの、粘着性を伴う基剤の厚みは０．１ｍｍ〜０．１５ｍｍ程度が望ましい。粘着力は４〜１０（Ｎ／１０ｍｍ）程度が望ましい。
組み立て図面を施すための台紙（３）は厚み９０ｋｇ以上が望ましい。
前述の「ブロック玩具組み立てガイドシート」を用い、（ブロック玩具キット商品）を作成する場合、台紙（３）上に貼設された、両面テープ（２）の剥離紙（２ｂ）を剥し（図１〔ｃ〕）、弱粘着性の基剤（２ａ）の接着面に１段目のブロックパーツを配置する。（図４〔ｂ〕）仮固定された１段目のブロックパーツ（図４〔ｃ〕）の上に、２段目以降のブロックパーツ（図４〔ｆ〕）を組み上げていき、形象が完成したら、「ブロック玩具組み立てガイドシート」を、剥す。（図１〔ｅ〕）
特定の形象を作成するための（ブロック玩具キット商品）に本考案の「ブロック玩具組み立てガイドシート」を補助用具として付属する。
【図面の簡単な説明】
【図１】本考案による「ブロック玩具の組み立てガイドシート」の概要と使用の一例を示したものである。
【図２】ブロック玩具の一例の構成を示したものである。
【図３】ブロック玩具の一例の底面図を示したものである。
【図４】「ブロック玩具の組み立てガイドシート」の使い方を斜視図で示したものである。
【符号の説明】  ２…両面テープ
２ａ…弱粘着性の基剤
２ｂ…はく離紙
３…台紙
４…ブロック玩具基台
４ａ…ブロック玩具側面
４ｂ…ブロック玩具突起
４ｃ…ブロック玩具天井面
５ａ…ブロック玩具底面
５ｂ…ブロック玩具溝部
【図１】
0003219154.tif 000003
【図２】
0003219154.tif 000004
【図３】
0003219154.tif 000005
【図４】
0003219154.tif 000006
【手続補正書】
【提出日】平成30年9月13日(2018.9.13)
【手続補正１】
【補正対象書類名】実用新案登録請求の範囲
【補正対象項目名】全文
【補正方法】変更
【補正の内容】
【実用新案登録請求の範囲】
【請求項１】
ブロック玩具を組み立て指示図面のとおりに、配置、仮固定するために、予め当該ブロック玩具と同サイズで、組み立て指示図面を施した台紙に、前述の図面が、可視可能な透明かつ、弱粘着性の両面テープを貼付した構成からなる、ブロック玩具の組み立てガイドシート。
(57)【要約】      （修正有）【課題】様々な色のついた花弁を有する胡蝶蘭を提供する。【解決手段】従来の白色花弁の胡蝶蘭の各花弁に、任意の色の樹脂塗料を複数回塗布することで、自然界に存在しない色の花弁を有する胡蝶蘭２が完成する。【選択図】図２
0003219152.tif 000002
【実用新案登録請求の範囲】
【請求項１】
白色の花弁の胡蝶蘭に染料を塗布することで、自然状態にない様々な色のついた花弁、花弁が染料によって萎れることがなく自然環境と同等の期間花弁が維持できるところを特徴とした胡蝶蘭。
【考案の詳細な説明】
【技術分野】
【０００１】  本考案は、白色の花弁の胡蝶蘭に染料を塗布して、様々な色の花弁を有する胡蝶蘭に関するものである。
【背景技術】
【０００２】  胡蝶蘭において大輪といわれる品種の場合、白色の花弁の胡蝶蘭が花弁も大きく、花の並びも整っている。流通量も多く安定的に供給される。一方、花弁が白以外の胡蝶蘭を求められることもある。
【先行技術文献】
【特許文献】
【０００３】
【特許文献１】特表２０１２−５０４９５７
【考案の概要】
【考案が解決しようとする課題】
【０００４】  花弁に色のついた胡蝶蘭は流通量も少なく、花弁の大きさ、花弁の並びが安定的に揃っていない。また、大輪の場合は花弁の色数も少ない。染料を塗布することで様々な色のついた花弁を作ることができ前述の欠点を解決するものである。
【課題を解決するための手段】
【０００５】  染料には合成樹脂塗料を使用し、花弁の萎れ具合の試験をして最適な塗料を選定した。
【考案の効果】
【０００６】  本発明によれば、生花としての胡蝶蘭で自然状態そのままではみつけることのできない多様な色を染色で作りだすことができ、多様なニーズに答えることができる。
【図面の簡単な説明】
【０００７】
【図１】従来の白色花弁を有する胡蝶蘭を示す図
【図２】白色花弁に任意の色の樹脂製塗料を塗布した胡蝶蘭を示す図
【考案を実施するための形態】
【０００８】図１に示す従来の白色花弁の胡蝶蘭１の各花弁１１に、任意の色の樹脂塗料を複数回塗布することで、自然界に存在しない色の花弁１２を有する胡蝶蘭２が完成する。
【実施例】
【０００９】以下、添付図面に従って実施例を説明する。図１の白色の花弁の胡蝶蘭に青色塗料を塗布し図２の花弁に色のついた胡蝶蘭とする。
【符号の説明】
【００１０】１    従来の白色花弁の胡蝶蘭
２    青色染料を塗布された花弁の胡蝶蘭
１１  白色の花弁
１２  任意の色の花弁
【図１】
0003219152.tif 000003
【図２】
0003219152.tif 000004
【手続補正書】
【提出日】平成30年9月13日(2018.9.13)
【手続補正１】
【補正対象書類名】実用新案登録請求の範囲
【補正対象項目名】全文
【補正方法】変更
【補正の内容】
【実用新案登録請求の範囲】
【請求項１】
白色の花弁の胡蝶蘭の各花弁に、染料を塗布し自然界に存在しない色の花弁を有する胡蝶蘭。
【請求項２】
白色の花弁の胡蝶蘭の各花弁に、青色染料を塗布された自然界に存在しない色の花弁を有する胡蝶蘭。
(57)【要約】      （修正有）【課題】開封することなく内容物を識別可能な紙幣を収容する袋を提供する。【解決手段】紙幣を収容可能な収容部２と蓋部３とを有し、収容部２に粘着部４を備える、ＣＰＰ製透明フィルム製の袋１である。フィルムは、透明であるため、袋１を開封することなく、収容物を視認することができる。したがって、収容物の有無はもとより、中身が千円札であるか、あるいは一万円札であるかのような、収容物の種類も容易に識別することができる。【選択図】図１
0003219167.tif 000002
【実用新案登録請求の範囲】
【請求項１】
紙幣を収容可能な収容部と、蓋部とを有し、前記収容部に粘着部を備える、透明フィルム製の袋。
【請求項２】
前記透明フィルムがＣＰＰ製である、請求項１に記載の袋。
【考案の詳細な説明】
【技術分野】
【０００１】  本考案は、紙幣を収容する袋において、開封することなく内容物を識別可能な袋の考案である。
【背景技術】
【０００２】  紙幣を財布以外に収容する際には、銀行やＡＴＭに備え付けられた紙製の封筒を用いることが多い。しかし、紙製の封筒は、開封しなければ中身を見ることができないという問題があった。【０００３】  特許文献１には、袋体に開口部を設け、内包物の有無を確認可能にした発明が開示されている。しかし、特許文献１の発明は、内包物の一部しか視認できないため、収容した紙幣の種類を容易に識別するには不十分であるという問題があった。
【先行技術文献】
【特許文献１】公開特許公報２００８−５００１４号
【考案の概要】
【考案が解決しようとする課題】
【０００４】  銀行やＡＴＭに備え付けられた封筒は、通常は紙製であり、開封しなければ収容した中身を見ることができない。そのため、収容したのは千円札であるか一万円であるかを確認するためには、開封して中身を取り出す必要があった。少数枚の紙幣しか収容していない場合、ときには中身が空であると誤認し、捨ててしまうこともあった。
【課題を解決するための手段】
【０００５】  本考案は、紙幣を収容可能な収容部と蓋部とを有し、収容部に粘着部を備える、透明フィルム製の袋である。
【考案の効果】
【０００６】  上記課題を解決するため、透明フィルム製の紙幣用袋を提供する。透明フィルムの材料としては、ＣＰＰ、ＯＰＰ、ＬＬＤＰＥなどが挙げられるが、これらに限定されない。ここで、ＣＰＰとは、Ｃａｓｔ  Ｐｏｌｙｐｒｏｐｙｌｅｎｅの略で、無延伸ポリプロピレンを指す。ＯＰＰとは、Ｏｒｉｅｎｔｅｄ  Ｐｏｌｙｐｒｏｐｙｌｅｎｅの略で、２軸延伸ポリプロピレンを指す。ＬＬＤＰＥとは、Ｌｉｎｅａｒ  Ｌｏｗ  Ｄｅｎｓｉｔｙ  Ｐｏｌｙｅｔｈｙｌｅｎｅの略で、直鎖状低密度ポリエチレンを指す。【０００７】  本考案に用いるフィルムは、紙とは異なり透明である。そのため、袋を開封することなく、収容物を視認することができる。したがって、収容物の有無はもとより、中身が千円札であるか、あるいは一万円札であるかのような、収容物の種類も容易に識別することができる。【０００８】  事務作業を行う際、飲み物を机上に置く人も多い。そのため、飲み物の入った容器を倒してしまい、机上に広げた書類や現金などに付着するという事故が発生しうる。しかし、本考案に用いるフィルムは、紙とは異なり水を通さない。そのため、本考案の紙幣用袋に紙幣を収容することにより、紙幣を水分の付着から保護することができる。【０００９】  本考案の紙幣用袋は、粘着部を収容部に設けることにより、紙幣を出し入れする際に、紙幣が粘着部に粘着するのを防止することができる。
【図面の簡単な説明】
【図１】図１は、本考案の紙幣用袋の平面図である。
【図２】図２は、本考案の紙幣用袋に、紙幣を収容した状態を示す図である。
【考案を実施するための形態】
【００１０】  以下、本考案を図面に基づいて説明する。
図１において、紙幣用袋は、紙幣を収容するための収容部に粘着部を有する。
【００１１】  図２において、蓋部を折り返して粘着部に押圧することにより、蓋部を固定することができる。
【００１２】  現在日本で発行されている紙幣の寸法は、縦７６ミリメートル、横１６０ミリメートルの一万円札が最大である。また、重ねた紙幣の厚さは１００枚で約１センチメートルといわれる。本考案の紙幣用袋は、１００枚の一万円札を重ねた束を、容易に出し入れ可能な寸法でありうる。ただし、本考案が対象とする紙幣を、現行の国内紙幣に限定するものではなく、最大収容枚数を１００枚に限定するものでもない。
【００１３】  本考案に用いるフィルムは、内容物を識別可能な程度に透明であればよく、例えばＣＰＰ、ＯＰＰ、ＬＬＤＰＥなどを用いることができる。ここで、ＣＰＰには、切れ目や接合部における引き裂きに強いという特長がある。そのため、紙幣を出し入れする際や蓋の粘着を剥がす際に、袋が裂けるのを防止することができるため、ＣＰＰが特に好ましい。
【００１４】  粘着部には、剥離テープを付与してもよい。粘着部は任意の寸法であってよいが、その全体が蓋部に収まる寸法とすることが望ましい。これにより、粘着部で蓋部を固定すると、粘着部の全体が覆われ、他のものが粘着部に粘着するのを防止することができる。
【００１５】  粘着部の位置は、収容部の任意の位置であってよい。ただし、紙幣を収容して蓋部を折り返した際に、自然に蓋部によって粘着部の全体が覆われる位置が望ましい。
【００１６】  特に、蓋部を固定した際に、蓋部の端が粘着されない位置および寸法とすることが望ましい。これにより、蓋部の端をつまむことで、容易に開封することができる。
【００１７】  粘着部には再接着可能な粘着剤を用いることにより、蓋部を貼り直すことができる。これにより、本考案の紙幣用袋を繰り返し用いることができる。
【符号の説明】  １  紙幣用袋
２  収容部
３  蓋部
４  粘着部
５  剥離テープ
６  紙幣
【図１】
0003219167.tif 000003
【図２】
0003219167.tif 000004
【手続補正書】
【提出日】平成30年10月10日(2018.10.10)
【手続補正１】
【補正対象書類名】実用新案登録請求の範囲
【補正対象項目名】全文
【補正方法】変更
【補正の内容】
【実用新案登録請求の範囲】
【請求項１】
紙幣を収容可能な収容部と、前記収容部の開口から延長される蓋部とを有し、
前記収容部は粘着部を備え、
前記蓋部を折り返すと前記粘着部と重なるように構成された、
透明フィルム製の袋。
【請求項２】
前記透明フィルムがＣＰＰ製である、請求項１に記載の袋。
(57)【要約】      （修正有）【課題】硬貨を収容し、運搬時に硬貨同士が衝突して音を立てることを防止するためのＣＰＰ製の袋を提供する。【解決手段】硬貨を収容可能なポケット部２と、ポケット部２の開口から延長される蓋部３とを有し、蓋部３に粘着部４を備えるＣＰＰ製の硬貨用の袋１である。硬貨用袋１は、ポケット部２に硬貨を収容し、蓋部３を巻きつけて硬貨を押さえ、粘着部４で蓋部３を固定することにより、収容した硬貨が互いに衝突し、音を立てるのを防止することができる。【選択図】図１
0003219164.tif 000002
【実用新案登録請求の範囲】
【請求項１】
硬貨を収容可能なポケット部と、蓋部とを有し、前記蓋部に粘着部を備える、ＣＰＰ製の袋。
【考案の詳細な説明】
【技術分野】
【０００１】  本考案は、硬貨を収容し、運搬時に硬貨同士が衝突して音を立てることを防止するための袋の考案である。
【背景技術】
【０００２】  従来、財布を持たずに少数の硬貨だけをポケットに入れて持ち運ぶと、ポケットの中で硬貨同士が衝突し、耳障りな音を立てるという問題があった。【０００３】  特許文献１には、コイン等を収容可能な収容部を有する、一方の面がフィルムである密封貼着用シールが開示されている。しかし、特許文献１の発明は、複数枚の硬貨を収容した際に、硬貨同士が衝突することを防止するものではない。
【先行技術文献】
【特許文献１】公開特許公報２００１−１４２８号
【考案の概要】
【考案が解決しようとする課題】
【０００４】  ジョギングをする際など、余計な荷物を極力持ちたくない場合がある。このような場合に、財布を持たずに飲み物代程度の硬貨をポケットに入れることがあるが、硬貨同士が衝突して音が鳴り、きまりが悪いという問題があった。
【課題を解決するための手段】
【０００５】  本考案は、硬貨を収容可能なポケット部と、蓋部とを有し、蓋部に粘着部を備えるＣＰＰ製の袋である。
【考案の効果】
【０００６】  上記課題を解決するため、ＣＰＰ製の硬貨用袋を提供する。硬貨用袋は、ポケット部に硬貨を収容し、蓋部を巻きつけて硬貨を押さえ、粘着部で蓋部を固定することにより、収容した硬貨が互いに衝突し、音を立てるのを防止することができる。【０００７】  本考案の硬貨用袋に硬貨を収容することにより、衣服のポケットに入れた場合であっても、硬貨が音を立てるのを防止することができる。そのため、例えばジョギングのような運動を、財布などの余計な荷物を持たずに、快適に行うことができる。【０００８】  また、硬貨を収容した本考案の袋を、スマートフォンのケースなどに挟んで保管することもできる。これにより、自動販売機を利用する際などに、必要な硬貨をまとめて取り出すことができる。
【図面の簡単な説明】
【図１】図１は、本考案の硬貨用袋の平面図である。
【図２】図２は、本考案の硬貨用袋に、硬貨を挿入中の状態を示す図である。
【図３】図３は、本考案の硬貨用袋に硬貨を収容し、蓋部を巻きつけている状態を示す図である。
【図４】図４は、本考案の硬貨用袋に硬貨を収容し、蓋部を巻きつけて固定した状態を示す図である。
【考案を実施するための形態】
【０００９】  以下、本考案を図面に基づいて説明する。
図１において、硬貨用袋の一端に、硬貨を収容可能なポケット部を有する。
【００１０】  なお、本考案の硬貨用袋の素材として、ＣＰＰが用いられる。ここで、ＣＰＰとは、Ｃａｓｔ  Ｐｏｌｙｐｒｏｐｙｌｅｎｅの略で、無延伸ポリプロピレンフィルムを指す。ＣＰＰには、切れ目や接合部における引き裂きに強いという特長がある。そのため、硬貨を出し入れする際に、ポケット部のサイドが裂けるのを防止することができる。
【００１１】  粘着部は、蓋部の任意の位置でありうるが、蓋部の端としないことにより、開封を容易にすることができる。粘着部には、図示していない剥離テープを付与してもよい。
【００１２】  図２において、硬貨用袋は複数枚の硬貨を収容することができる。例えば、自動販売機で飲み物を購入するのに必要な３〜４枚程度の硬貨を収容可能である。ただし、本考案の硬貨用袋が収容可能な硬貨の枚数は、これに限定されるものではない。
【００１３】  図３において、蓋部は、収容した硬貨に巻きつけて押さえるのに十分な長さを有する。蓋部に十分な長さがあり、粘着部によって硬貨用袋の任意の位置に固定可能であることにより、硬貨の枚数や厚さによらず、硬貨を押さえることができる。
【００１４】  図４において、粘着部には再接着可能な粘着剤を用いることにより、粘着部を貼り直すことができる。これにより、本考案の硬貨用袋を繰り返し用いることができる。
【符号の説明】  １  硬貨用袋
２  ポケット部
３  蓋部
４  粘着部
５  硬貨
【図１】
0003219164.tif 000003
【図２】
0003219164.tif 000004
【図３】
0003219164.tif 000005
【図４】
0003219164.tif 000006
【手続補正書】
【提出日】平成30年10月10日(2018.10.10)
【手続補正１】
【補正対象書類名】実用新案登録請求の範囲
【補正対象項目名】全文
【補正方法】変更
【補正の内容】
【実用新案登録請求の範囲】
【請求項１】
硬貨を収容可能なポケット部と、前記ポケット部の開口から延長される蓋部とを有し、
前記蓋部は、前記ポケット部から離れた側の端部付近に粘着部を備える、
ＣＰＰ製の袋。
(57)【要約】      （修正有）【課題】冷媒の装着が簡単に行える作業用帽子を提供する。【解決手段】作業用帽子１の背面外側にポケット２を縫合し、氷、保冷剤を挿入する。【選択図】図１
0003219170.tif 000002
【実用新案登録請求の範囲】
【請求項１】
背面に収納用ポケットを具備することを特徴とする作業用帽子。
【考案の詳細な説明】
【考案の詳細な説明】
【技術分野】
【０００１】  炎天下で作業中の体力消耗を軽減させるため帽子と保冷剤を効率よく一体化させる。
【背景技術】
【０００２】  従来の帽子は紫外線等を減少させ日焼けを抑える為に着用し、汗の蒸発気化によっては多少の放熱を狙った材質で作られているものが多い。しかし、快適さをより良くするため、氷、保冷剤をタオルなどで包み頚、後頭部に巻き付けて使用している。
【考案が解決しようとする課題】
【０００３】  作業用帽子と保冷剤を包むタオルを併用するには、脱着作業が２回となり非常に効率が悪く、加えて帽子とタオルが二重構造を形成して熱が籠もりやすい。
又、保冷剤を巻き付ける部位、たとえば頚から喉に重みが集中するため、長時間の作業には違和感が発生する。
【課題を解決するための手段】
【０００４】  作業用帽子の背面に収納用ポケットを縫合し、氷、保冷剤をビニールパックに包んでその中に挿入し、帽子と一体化することにより帽子などの脱着作業を簡単にする。
着用時のタオルなどの包装材が不要となり、水、保冷剤の荷重は作業用帽子の頭部全体に分散するので、首廻りの圧迫感が無くなる。
【実施例】
【０００５】  以下本考案を図面に基づき説明する。
１  一般的な紫外線除けの帽子。
２  背面に氷、保冷剤を入れるために縫合したポケット。
冬期には氷、保冷剤に換えてカイロの挿入もできる。
２の位置は、左右中央で帽子装着時に頸筋に当たる高さである。
【図１】
0003219170.tif 000003
【手続補正書】
【提出日】平成30年10月2日(2018.10.2)
【手続補正２】
【補正対象書類名】明細書
【補正対象項目名】全文
【補正方法】変更
【補正の内容】
【考案の詳細な説明】
【考案の詳細な説明】
【技術分野】
【０００１】  炎天下で作業中の体力消耗を軽減させるため帽子と保冷剤を効率よく一体化させる。
【背景技術】
【０００２】  従来の帽子は紫外線等を減少させ日焼けを抑える為に着用し、汗の蒸発気化によっては多少の放熱を狙った材質で作られているものが多い。しかし、快適さをより良くするため、氷、保冷剤をタオルなどで包み頚、後頭部に巻き付けて使用している。
【考案が解決しようとする課題】
【０００３】  作業用帽子と保冷剤を包むタオルを併用するには、脱着作業が２回となり非常に効率が悪く、加えて帽子とタオルが二重構造を形成して熱が籠もりやすい。
又、保冷剤を巻き付ける部位、たとえば頚から喉に重みが集中するため、長時間の作業には違和感が発生する。
【課題を解決するための手段】
【０００４】  作業用帽子の背面に収納用ポケットを縫合し、氷、保冷剤をビニールパックに包んでその中に挿入し、帽子と一体化することにより帽子などの脱着作業を簡単にする。
着用時のタオルなどの包装材が不要となり、水、保冷剤の荷重は作業用帽子の頭部全体に分散するので、首廻りの圧迫感が無くなる。
【図面の簡単な説明】
【０００５】
【図１】ポケット付き作業用帽子の背面斜視図
【実施例】
【０００６】  以下本考案を図面に基づき説明する。
１  一般的な紫外線除けの帽子。
２  背面に氷、保冷剤を入れるために縫合したポケット。
冬期には氷、保冷剤に換えてカイロの挿入もできる。
２の位置は、左右中央で帽子装着時に頸筋に当たる高さである。
(57)【要約】      （修正有）【課題】楽な姿勢で洗う事ができ、便利性を有する体垢取り器を提供する。【解決手段】柄１の一端部に植毛されたブラシ３が取り付けられた体垢取り器であって、ブラシ３は、円環状に湾曲し、ブラシ３の先端側が円環状の面に対して９０度以内の角度で屈曲している。【選択図】図１
0003219130.tif 000002
【実用新案登録請求の範囲】
【請求項１】
柄の一端部に植毛されたブラシが取り付けられた体垢取り器であって、前記ブラシは、円環状に湾曲し、前記ブラシの先端側が円環状の面に対して９０度以内の角度で屈曲していることを特徴とする体垢取り器。
【考案の詳細な説明】
【技術分野】
【０００１】
本考案は、石鹸やボディーソープをつけ体を洗う時、垢落としに使用する器具に関するものである。
【背景技術】
【０００２】
垢落とし器具は、タワシの様な平面的なブラシや、布製のエキスパンダーの様なもの、又は韓国製の垢落とし等が考えられるタイプが従来のものである。
【考案の概要】
【考案が解決しようとする課題】
【０００３】
これまでの垢落しは、楽な姿勢で洗う事の便利性を欠いていた。又手の行き届かない部分もあったりで、お年寄りには、特に不便であった。
【課題を解決するための手段】
【０００４】
上記課題を解決するために、本考案の体垢取り器は、柄の一端部に植毛されたブラシが取り付けられた体垢取り器であって、前記ブラシは、円環状に湾曲し、前記ブラシの先端側が円環状の面に対して９０度以内の角度で屈曲している。
【考案の効果】
【０００５】
本考案の体垢取り器には、次のような効果がある。
（１）  ブラシの湾曲形状部分は体の丸みのある腕、肩、首、腹、脇腹、脛、股、足、手等に沿って擦ることが出来るので心地良く垢取り出来る。
（２）  ブラシの湾曲部分図１の（ｃ）Ｃ−Ｃ｀先端部で、背中を擦ることが出来る。
（３）  ブラシを撚りながら形成する図２の２の撚り線は、軟銅線、軟鋼線、鉛など、少し撓みが出る軟質ものを使用することにより、体を擦ることに優しさが出る。勿論人好き好きもあるので硬い材質のものでの対応も可能である。
（４）  ブラシを取り付ける柄の部分が伸縮等出来る構造の物を使用すると背中の垢取りが更に楽になる。
（５）  体垢取り器は、イスに腰掛けて、体をあまり動かさないで、体を洗うことが出来る。腕の垢取りを考えれば腕の裏、表の２回程度の擦りで済むので体が思う様に動かないお年寄りに優しい垢取り器である。
（６）  タオルにボディーソープをつけて 体を洗った後のタオルに染みたボディソープを洗い流すのには、多量の湯を使うが、垢取りブラシを使用すると少量の湯で間に合うのでムダが無い。
【図面の簡単な説明】
【０００６】
【図１】（ａ）本考案の体垢取り器の斜視図（ｂ）本考案の体垢取り器の正面図（ｃ）本考案の体垢取り器の側面図
【図２】本考案の撚り線斜視図
【考案を実施するための形態】
【０００７】
図１は本考案の体垢取り器を示す図であり、図１（ａ）本考案の体垢取り器の斜視図、図１（ｂ）は本考案の体垢取り器の正面図、図１（ｃ）は本考案の体垢取り器の側面図、図１（ａ）のＡ−Ａ｀はブラシ楕円形状から湾直に曲げた部分である。図１（ａ）のＢ−Ｂ｀の範囲はブラシ楕円形状の図である。ブラシは図２の２の撚り線で２本線を撚り合わせてブラシが形成される。それを固定する握り部、柄１により構成する。
【０００８】
このように、本考案の体垢取り器は、ブラシ部分が楕円形状から蛇のコブラが首を擡げる姿を連想させる湾曲形状になっているだけの簡単なものでありながら心地良く垢取りが出来る便利性を持ち合わせたものである。なお、ブラシの材質は、毛、プラスチック、アクリル、シリコン等で良い。
【符号の説明】
【０００９】
１  柄
２  撚り線
３  ブラシ
【図１】
0003219130.tif 000003
【図２】
0003219130.tif 000004
(57)【要約】      （修正有）【課題】右利きの人及び左利きの人に加え、目の不自由な人であっても書類等を挟んだり取り出したりし易い形状であって、挟んだ書類等が指ぬきと呼ばれる切欠部から露出すること無く保管できる仕切り付きのクリアファイルを提供する。【解決手段】２つ折りにされ表表紙１と裏表紙２を形成したプラスチックシートに、他のプラスチックシート３を挟み込み、それらの底辺４を溶着加工にて接合することにより複数のポケットが形成されると共に、表表紙の辺７と裏表紙の辺１０及び、挟み込んだ各プラスチックシートの辺９には、それぞれ１個の同じ弓型の切欠部８が上方から下方に順に位置をずらして形成され、それらを閉じて重ね合わせることにより指を掛けて仕切りを開くための張出片と欠損部が形成される。【選択図】図２
0003219282.tif 000002
【実用新案登録請求の範囲】
【請求項１】
２つ折りに形成され、表表紙１と裏表紙２を備えた表紙となるプラスチックシートに、同寸の他の２つ折り、もしくは２つ折りされていない１枚のプラスチックシートを挟み込み、全てのプラスチックシートの底辺を溶着加工にて接合することにより形成された、３つ又は２つのポケットを備えた仕切り付きクリアファイルであって、表紙及び挟み込んだ各プラスチックシートの折曲辺と隣接していない辺には、同じ弓型の切欠部が上方から下方に順に位置をずらして形成され、その結果、表表紙側と裏表紙側のいずれからでも指を掛け仕切りを開くことが可能な、張出片１２が形成されることを特長とする仕切り付きクリアファイル。
【請求項２】
切欠部８が形成された表表紙１の辺７と裏表紙２の辺１０、及び仕切りとなる他の２つ折りに形成されたプラスチックシート３の辺９を重ね合わせた際に、欠損部１１を形成することを特長とする請求項１の仕切り付きクリアファイル。
【請求項３】
適合する定型サイズの書類を挟んだ際に、書類の一部が切欠部８から露出しないことを特徴とする請求項１の仕切り付きクリアファイル。
【考案の詳細な説明】
【技術分野】
【０００１】
本考案はクリアファイルに関するものである。
【背景技術】
【０００２】
通常クリアファイルはポリプロピレン等のプラスチックシート1枚を2つ折りにして、底辺となる折曲辺に隣接する一方の辺を溶着加工にて接合し形成され、その他の開放された辺から書類を挟み保持する。2つ折りにしたプラスチックシートを2枚重ねて底辺を溶着加工にて接合すれば、ポケットを３つ備え、関連した書類の分類に便利な仕切り付きクリアファイルが形成される。
【考案の概要】
【考案が解決しようとする課題】
【０００３】
しかしながら従来の仕切り付きクリアファイルは、右利きの人向けに設計されているため、左利きの人には使いにくいという課題がある。さらに目の不自由な人への配慮もされていないため、それらの人にとっても使いにくい。
【課題を解決するための手段】
【０００４】
本考案は、２つ折りに形成され表表紙と裏表紙を備えたプラスチックシートに、同寸の他の2つ折りに形成されたプラスチックシートを挟み込み、それらの底辺となる折曲辺に隣接する一方の辺を溶着加工により接合し、その２数のシートの間に書類等を挟んで使用する仕切り付きクリアファイルであって、折曲辺とは繋がっていない全ての辺に指ぬきと呼ばれる弓型の切欠部が形成されている。それらは同じ位置ではなく、一部が重なるようずらした位置に形成されており、表表紙、裏表紙のどちらの面からでも切欠部から張り出した張出片に指を掛け開くことができる構造となっている。さらに閉じた状態では、適合する最大サイズの書類を露出させない大きさの欠損部が、全てのシートの切欠部が重なりあう位置に形成される構造を備え、欠損部のある辺を指でなぞることにより、目の不自由な人でも容易に指ぬきの位置を認知することができる。
【考案の効果】
【０００５】
本考案では、複数のプラスチックシートに形成された切欠部をずらして配置することにより、右利きの人だけでなく左利きの人のいずれであっても仕切りを開閉しやすく、目の不自由な人への指ぬきの位置の認知を容易にする等、より多くの人が容易に書類を挟んだり取り出すことができる。
【図面の簡単な説明】
【０００６】
【図１】仕切り付きクリアファイルとして仕上げた状態を示す図
【図２】仕切り付きクリアファイルの製造過程を示す図
【図３】仕切り付きクリアファイルの表面と裏面であり、（a）は表面（右利き用）、（b）は裏面（左利き用）を示す図
【図４】仕切り付きクリアファイルを使用している状態を示す図
【図５】仕切り付きクリアファイルの製造過程を示す図
【考案を実施するための形態】
【０００７】
以下、本考案の形態を図に基づいて説明する。
【実施例】
【０００８】
図2の示す通り型抜きされ２つ折りに形成された、表表紙１と裏表紙２を備えたプラスチックシートに、他の２つ折りに形成されたプラスチックシート３を挟み込み、図1の示す通り２枚のシートの底辺４を溶着加工にて接合することにより、３つのポケットを備えた仕切り付きクリアファイルが形成される。図３（a）の示す通り、右利きの人向けに折曲辺６を左として見た場合、表表紙１の辺７の上部に指ぬきと呼ばれる弓型の切欠部８が形成され、その他のプラスチックシート３の辺９、裏表紙２の辺１０にも、それぞれ弓型の切欠部８が形成される。図３の示す通り、それら全ての切欠部８はそれぞれの辺に対し、上下にずらし一部が重なり合う位置に形成される。その結果、形成された張出片１２に右手の指を掛けて仕切りを開くことができる。さらに、全てのシートを閉じた状態において欠損部１１が形成される。図４の示す通り、閉じられた状態の欠損部１１に触れることにより、目の不自由な人であっても容易に欠損部１１の位置を認知できることから、指ぬきと呼ばれる切欠部８の位置が目視することなく指だけで認知することが可能である。これらは、図３（b）の示す通り、左利きの人向けに裏面から見た場合も、切欠部８の上下位置は違うものの、同様の構造を持つことから、左利きの人も利き手にて使用することが可能である。
【０００９】
図５の示す通り挟み込むのは２つ折りしていない同寸の１枚のプラスチックシート５でも可能であり、その場合は２つのポケットを備えた仕切り付きクリアファイルが形成される。
【００１０】
本考案の仕切り付きクリアファイルは、日本工業規格で定められたA4やB5などのサイズに合わせて作成されており、クリアファイル本体のサイズは収納する書類より僅かに大きいサイズとなる。また、書類を挟んだ際に切欠部８から書類が露出しないよう形状が最適化されている。それにより、収納する書類の全面が保護され、汚れたり破損することなく保管することができる。
【符号の説明】
【００１１】
１    表表紙
２    裏表紙
３    プラスチックシート
４    底辺
５    プラスチックシート
６    折曲辺
７    辺
８    切欠部
９    辺
１０  辺
１１  欠損部
１２  張出片
【図１】
0003219282.tif 000003
【図２】
0003219282.tif 000004
【図３】
0003219282.tif 000005
【図４】
0003219282.tif 000006
【図５】
0003219282.tif 000007
(57)【要約】      （修正有）【課題】日用消耗品として外耳道の清掃に良好に使用できる綿棒を提供する。【解決手段】軸体１と該軸体１の少なくとも一端に繊維を巻き付け接着した略三角柱形状の繊維集合体部２と備えた綿棒である。繊維集合体部２の周側面２１の周縁が円形を３つまたはそれ以上集合させたの断面形状を有するのがよい。一方、繊維集合体部２の周側面２２の周縁が略６０°の断面形状を有するのがよい。【選択図】図１
0003219261.tif 000002
【実用新案登録請求の範囲】
【請求項１】
軸体と該軸体の少なくとも一端に繊維を巻き付け接着した繊維集合体部を備え、前記繊維集合体部が先端を半球状、胴体部分を３円筒集合体形または三角柱であることを特徴とする綿棒。
【請求項２】
前記繊維集合体の三角柱形状部の芯にあたる軸体の形状は三角柱であり、三角柱部以外の軸体は円筒形状であることを特徴とする綿棒。
【考案の詳細な説明】
【技術分野】
【０００１】  本考案は、日用清掃具、その他各種用途に使用可能な綿棒に関する。
【背景技術】
【０００２】  （１）従来から外耳道の清掃具等として、軸体の端部に繊維を塊状に形成した綿棒が使用されている。一般的には、先端に繊維から形成した球状の繊維体（綿球部）を備えるものが用いられる。
（２）前項記述の球状をした綿棒の他に軸体の先端に軸方向に直交する凹凸形状をした繊維体を備えたもの。
（３）軸体先端の塊状部に吸着性を備えたもの。
【考案の概要】
【考案が解決しようとする課題】
【０００３】  （１）請求項［０００２］（１）の形状を備えた綿棒を用いて外耳道の耳垢除去をする際、綿球部を外耳道の内面と接触させながら外耳腔方向に引く抜く場合は、耳垢を除去できる範囲が、塊状部との接触面のみである。この場合、外耳道内面全周に耳垢除去には何度も綿球部を抜き差しする必要がある。
（２）同じく請求項［０００２］（１）の形状を備えた綿棒を用いて外耳道の耳垢除去をする際、外耳道内面に綿球部を挿入し、外耳道内面に綿球部を接触させたのち綿棒自体を回転させることにより外耳道内面の耳垢を除去する方法は、綿球部に付着した耳垢が再び外耳道内面に接触するため一度の回転では完全に除去できないことが予測される。
（３）請求項［０００２］（２）の形状を備えた綿棒を用いた場合は、上記（２）で前述した綿棒自体を回転させる方法によっても、繊維体に回転方向とほぼ直角方向に凹凸があり外耳道内面に接触する範囲が［０００２］（１）の綿棒を使用した範囲より小さくなる。
（４）請求項［０００２］（３）の形状を備えた綿棒を用いた場合は、先端の塊状部が吸着性を備えているため綿棒自体を回転させる方法であっても外耳道内面に吸着しながら回転するためひっかかるような状態になりスムースな耳垢除去が容易ではない。
【課題を解決するための手段】
【０００４】  綿棒先端の塊状部に、軸体と平行な凹部を備えることで上記の課題を解決する。【０００５】  綿棒先端の塊状部の一部を三角柱形状にすることで上記課題を解決する。
【考案の効果】
【０００６】  （１）綿棒先端の塊状部に、軸体と平行な凹部を備えることで外耳道内面との接触範囲を確保しつつ、凹部に耳垢を溜めることが可能となるため除去した耳垢が再び外耳道内面に接触することを軽減できる。
（２）綿棒先端の塊状部の一部を三角柱形状にすることで上記［０００６］（１）と同様の効果が見込める。
【図面の簡単な説明】
【０００７】
【図１】本考案の一実施形態に係る綿棒の斜視図である。
【図２】本考案の一実施形態に係る綿棒の側面図である。
【図３】綿棒の繊維集合体部を示す部分拡大断面図である。
【考案を実施するための形態】
【０００８】  以下、本考案の綿棒を、図面を参照して説明する。図１は本考案の一実施形態に係る綿棒を示す。
【０００９】  図１に示すように、本考案の一実施形態に係る綿棒は、軸体１と、該軸体１の一端または両端に繊維集合体部２とを備える。
【００１０】  軸体１としては、例えば、紙軸、プラスチック軸、木軸などが挙げられる。紙軸の場合は、例えば、長方形に打ち抜きした紙シートの片面に接着剤を塗布し小さく巻き取ることによって製造される。軸体１の断面形状としては例えば、円形、楕円形、扁平形、角形などが挙げられる。この軸体１の先端の面は、面取りまたは曲面状に形成されてもよい。
【００１１】  図３に示すように、繊維集合体部２は、軸体１の端部に繊維を巻き付け接着されて形成される。繊維集合体部２は、周側面の下端および上端を除き、同径の３つの円筒を集合させたような周側面を持つ形状２１あるいは、ほぼ同辺長とする略三角柱形状２２で形成される。この繊維集合体部２の先端部（頂面）は、半球状である。そのため、外耳道への挿入時に外耳道内を傷つけることなく外耳道内面に付着した耳垢等を除去することができる。さらに、この繊維集合体部２の周側面および先端面に人体に無害な粘着剤などを塗布し、耳垢などを付着させるようにしてもよい。
【００１２】  繊維集合体部２の外径と長さの比は、約１対５であるのがよい。また、繊維集合体部２の長さは５〜２０ｍｍ程度、外径は２〜５ｍｍ程度であるのがよい。
【００１３】  繊維集合体部２を形成する繊維としては、例えば、種々の天然繊維（綿、絹、羊毛等）、再生繊維（レーヨン、キュプラ等）または合成繊維（ポリエステル繊維、ポリプロピレン繊維等）などが挙げられるが、特に吸湿性のよい脱脂綿等の綿繊維が好適に使用される。これら繊維は単独で使用しても、または２種以上を混合して使用してもよい。
【００１４】  この繊維集合体部２は、繊維集合体部軸体２に下糊を塗布した後、繊維を巻き付け接着して形成される。繊維集合体部２を繊維集合体部軸体２と接着する際に用いる下糊としては、例えば、澱粉糊、ポリビニルアルコール、エチレン酢酸ビニル共重合体、カルボキシメチルセルロース等が挙げられる。
【００１５】  綿棒において、繊維集合体部２が軸体１の一端のみに形成されている場合には、軸体１の他端側には、持ち易いような把持部や、繊維集合体部２とは異なる形状（例えば、スパイラル形状、スプーン形状など）の繊維集合体部（図示せず）などを設けてもよい。また、繊維集合体部２が軸体１の両端に形成されている場合には、それぞれの繊維集合体部２の寸法や形状などを異なるものにしてもよい。
さらに、繊維集合体部２に溶剤などを含浸させた場合、綿棒は使用直前まで容器や袋などで密封されているのがよい。
【符号の説明】
【００１６】１  軸体
２  繊維集合体部
２１  周側面（３円筒集合体形）
２２  周側面（三角柱）
【図１】
0003219261.tif 000003
【図２】
0003219261.tif 000004
【図３】
0003219261.tif 000005
【手続補正書】
【提出日】平成30年9月16日(2018.9.16)
【手続補正１】
【補正対象書類名】実用新案登録請求の範囲
【補正対象項目名】請求項２
【補正方法】変更
【補正の内容】
【請求項２】
前記繊維集合体部の三角柱形状部の芯にあたる軸体の形状は三角柱であり、三角柱部以外の軸体は円筒形状であることを特徴とする請求項１に記載の綿棒。